(57)【要約】  本明細書には、パーソナライズされた情報を提示可能な電子ディスプレイを含むネットワーク接続（すなわち、「スマート」）容器について記載される。例えば、電子ディスプレイ（並びに、メモリ、プロセッサ及び通信モジュールのような他の必須コンポーネント）は、キャップ又は容器の本体に組み込まれ得る。ここで、容器は、使用者によってスキンケア処置計画の一部として適用されるスキンケア製品（例えば、薬品又は化粧品のようなパーソナルケア製品）を保持している。より詳細には、スマート容器は、見直しのために関連情報をユーザに対して提示する電子ディスプレイを含み得る。そのような情報には、スキンケア製品の名称、スキンケア処置計画を遵守するためのテキスト指示、スキンケア製品の適用方法を示すアニメーション、ユーザ情報、メッセージ（例えば、クラウドサービスを介して伝達されるテキストメッセージ）、通知及びデバイス情報（例えば、バッテリ状態及びネットワーク接続状態）が含まれ得る。【選択図】  図１
2019518483.tif 000002
【特許請求の範囲】
【請求項１】
スキンケア処置計画の遵守を管理するためのネットワーク接続デバイスであって、前記ネットワーク接続キャップが、
頂部と、スキンケア製品を収容する容器の首部に固定的に取付け可能な側壁とを有するキャップと、
前記頂部に沿って配置され、前記スキンケア製品、スキンケア処置計画又はその両方に関する情報を表示するように構成された電子ディスプレイと、
電源と、
プロセッサと、
個人が前記スキンケア処置計画を遵守して前記スキンケア製品を適用したかどうかを監視するための複数の命令を含んでいるメモリと
を備えている、ネットワーク接続デバイス。
【請求項２】
センサデータを生成するように構成されたセンサをさらに備えている、請求項１に記載のネットワーク接続デバイス。
【請求項３】
前記センサは、
前記キャップの動きを検出するように構成された動きセンサ、
前記キャップが前記容器の首部に取付けられているかどうかを検出するように構成された圧力センサ、
前記個人によって発せられた応答を記録するように構成された音声センサ、
周囲光レベルを監視するように構成された光センサ、
周囲湿度レベルを監視するように構成された湿度センサ、及び、
周囲温度を監視するように構成された温度計
から選択される、請求項２に記載のネットワーク接続デバイス。
【請求項４】
前記プロセッサによって前記複数の命令を実行することは、前記ネットワーク接続キャップに、
前記スキンケア処置計画を前記個人に対してパーソナライズできるようにする１つ以上の特徴を検出するために、前記センサデータを解析すること、
前記スキンケア製品を適用するためのパラメータを更新することによって前記スキンケア処置計画をパーソナライズすること、及び、
前記個人が見直すために更新された前記パラメータを前記電子ディスプレイに掲示すること
を行わせる、請求項２に記載のネットワーク接続デバイス。
【請求項５】
リモートコンピューティングデバイスとネットワーク越しに通信するように構成された無線通信モジュールをさらに備えている、請求項２に記載のネットワーク接続デバイス。
【請求項６】
前記プロセッサによって前記複数の命令を実行することは、前記ネットワーク接続キャップに、
前記キャップとの対話を検出するために、前記センサデータを解析すること、
前記対話の検出に反応して、前記対話の指示を前記リモートコンピューティングデバイスへと送信すること、及び、
前記リモートコンピューティングデバイスに対して、前記個人が前記スキンケア処置計画を遵守していることを示す通知を別の個人へと送信するように促すこと
を行わせる、請求項５に記載のネットワーク接続デバイス。
【請求項７】
前記プロセッサによって前記複数の命令を実行することは、前記ネットワーク接続キャップに、
前記無線通信モジュールとネットワークアクセス可能な情報ソースとの間の通信チャンネルを始動すること、
前記ネットワークアクセス可能な情報ソースに対して、前記スキンケア製品、前記スキンケア処置計画又はその両方に関連する情報についての要求を提出すること、及び、
前記個人が見直すために前記関連する情報を前記電子ディスプレイに提示すること
を行わせる、請求項５に記載のネットワーク接続デバイス。
【請求項８】
前記関連する情報が、前記スキンケア処置計画、前記スキンケア製品の特性、ユーザ情報、気象条件、紫外線レベル、汚染レベル、全地球測位システム（ＧＰＳ）座標又はそれらのいくつかの組合せに関する詳細を含んでいる、請求項１に記載のネットワーク接続デバイス。
【請求項９】
前記電子ディスプレイは、持続性低電力電子ディスプレイである、請求項１に記載のネットワーク接続デバイス。
【請求項１０】
前記キャップに固定的に取付けられ、前記キャップの動きを検出するように構成された動きセンサと、
前記キャップが前記容器の前記首部に固定的に取付けられているかどうかを検出するように構成された蓋センサと、
周囲環境センサと
をさらに備えている、請求項１に記載のネットワーク接続デバイス。
【請求項１１】
前記蓋センサは、前記容器の前記首部の開口に向けられた光学センサ、又は、前記キャップが前記容器の前記首部の取付けられた際に圧力が加えられる圧力センサである、請求項１０に記載のネットワーク接続デバイス。
【請求項１２】
前記周囲環境センサは、温度、湿度、紫外線又は汚染を定期的に検査するように構成されている、請求項１０に記載のネットワーク接続デバイス。
【請求項１３】
前記個人に対して情報を視覚的に伝達する１つ以上の発光ダイオードをさらに備えている、請求項１に記載のネットワーク接続デバイス。
【請求項１４】
前記個人が可聴入力を提供することに反応して、音声信号を生成するように構成された音声センサと、
前記個人に対して情報を可聴的に伝達するスピーカと
をさらに備えている、請求項１に記載のネットワーク接続デバイス。
【請求項１５】
ネットワーク接続瓶であって、
スキンケア製品を収容する容器と、
実質的に円形の頂部と、前記容器の首部に固定的に取付け可能な側壁とを有するキャップと、
前記スキンケア製品、スキンケア処置計画又はその両方に関する情報を表示するように構成された電子ディスプレイと、
前記容器、前記キャップ又はその両方の動きを検出するように構成された動きセンサと、
プロセッサと、
複数の命令を含んでいるメモリであって、前記複数の命令が、
前記動きセンサに前記ネットワーク接続容器の動きを検出させる、
前記ネットワーク接続容器の動きを伴う活動を示すデータを生成する、及び、
前記データを解析して、個人が前記スキンケア処置計画を遵守して前記スキンケア製品を適用したかどうかを判定するために、データを解析する
ための命令である、メモリと
を備えている、ネットワーク接続瓶。
【請求項１６】
充電可能な電源をさらに備えている、請求項１５に記載のネットワーク接続瓶。
【請求項１７】
前記活動が、前記スキンケア処置計画を遵守して実施されるスキンケア活動である、請求項１５に記載のネットワーク接続瓶。
【請求項１８】
前記スキンケア活動が、前記容器の前記首部から前記キャップを取り外すこと、又は、前記スキンケア製品を前記容器から分配することを含んでいる、請求項１７に記載のネットワーク接続瓶。
【請求項１９】
前記電子ディスプレイは、前記キャップの前記実質的に円形の頂部に沿って配置されている、請求項１５に記載のネットワーク接続瓶。
【請求項２０】
前記電子ディスプレイは、前記容器の外表面に沿って配置されている、請求項１５に記載のネットワーク接続瓶。
【請求項２１】
ネットワーク接続瓶とネットワークアクセス可能な情報ソースとの間の通信チャンネルを確立するステップであって、前記ネットワーク接続瓶は、個人によりスキンケア処置計画の一部として適用されることとなるスキンケア製品を収容している、ステップと、
前記ネットワークアクセス可能な情報ソースに対して、前記スキンケア製品、前記スキンケア処置計画又はその両方に関連する情報についての要求を提出するステップと、
前記個人が見直すために前記関連する情報を前記ネットワーク接続瓶の電子ディスプレイに提示するステップと
を含んでいる、コンピュータ実装された方法。
【請求項２２】
前記ネットワーク接続瓶に接続されたセンサによって、周囲環境を特徴付けるセンサデータを記録するステップと、
前記スキンケア処置計画を前記個人に対してパーソナライズできるようにする１つ以上の特徴を検出するために、前記センサデータを解析するステップと、
前記スキンケア製品を適用するためのパラメータを更新することによって前記スキンケア処置計画をパーソナライズするステップと、
前記個人が見直すために更新された前記パラメータを前記ネットワーク接続瓶の電子ディスプレイに掲示するステップと
をさらに含んでいる、請求項２１に記載のコンピュータ実装された方法。
【請求項２３】
前記ネットワーク接続瓶との対話を監視するステップと、
前記ネットワーク接続瓶とのユーザ対話を示すセンサデータを生成するステップと、
前記ユーザ対話の指示をリモートコンピューティングデバイスへとネットワーク越しに送信するステップと、
前記リモートコンピューティングデバイスに対して、前記個人が前記スキンケア処置計画を遵守しているかどうかを判定して、遵守ステータスを特定する通知を別のコンピューティングデバイスへと送信するように促すステップと
をさらに含んでいる、請求項２１に記載のコンピュータ実装された方法。
【請求項２４】
スキンケア処置計画の遵守を管理するためのネットワーク化システムであって、
ネットワーク接続瓶であって、
スキンケア製品を収容する容器、
頂部と、前記容器の首部に固定的に取付け可能な側壁とを有するキャップ、
リモートコンピューティングデバイスと通信するように構成された無線通信モジュール、
メモリに記憶された命令を実行するように動作可能なプロセッサ、及び、
個人がスキンケア処置計画を遵守して前記スキンケア製品を適用したかどうかを監視するための特定の複数の命令を含んでいるメモリと
を備えているネットワーク接続瓶と、
ネットワーク接続コンピューティングデバイスであって、
前記ネットワーク接続瓶との通信リンクを確立するように構成された無線通信モジュールと、
メモリ内に記憶された命令を実行するように動作可能なプロセッサ、及び、
前記メモリ
を備えているネットワーク接続コンピューティングデバイスと
を備えている、ネットワーク化システム。
【請求項２５】
前記ネットワーク接続瓶は、
前記スキンケア製品、前記スキンケア処置計画又はその両方に関する情報を表示するように構成された電子ディスプレイ、及び、
センサデータを生成するように構成されたセンサ
をさらに備えている、請求項２４に記載のネットワーク化システム。
【請求項２６】
前記ネットワーク接続コンピューティングデバイスは、
前記スキンケア製品、前記スキンケア処置計画又はその両方に関する情報を表示するように構成された電子ディスプレイ、及び、
前記ネットワーク接続瓶にとってアクセス可能なセンサデータを生成するように構成されたセンサ
をさらに備えており、
前記センサデータを分析している際に、前記ネットワーク接続瓶は、前記ネットワーク接続コンピューティングデバイスに対して、前記電子ディスプレイ上に通知を表示するように促すことができる、請求項２５に記載のシステム。
【発明の詳細な説明】
【技術分野】
【０００１】
関連出願の相互参照
本出願は、２０１６年３月１７日に出願された米国仮特許出願第６２／３０９，８６３号に対する優先権を主張するものであり、参照によりその全体が本明細書に組み込まれる。
【０００２】
本出願は、２０１７年３月１５日に出願された米国特許出願第１５／４６０，１１５号に対する優先権を主張するものであり、参照によりその全体が本明細書に組み込まれる。
【０００３】
発明の分野
種々の実施形態は、ディスプレイを含むネットワーク接続（すなわち、「スマート」）容器に関する。より詳細には、種々の実施形態は、パーソナルケア製品を保持し、パーソナライズされた情報を電子ディスプレイ上に提示する、容器用のスマートキャップに関する。
【背景技術】
【０００４】
スキンケアとは、皮膚の健康を向上させる一連の行為を示し、例えば、栄養投与、過度の日光曝露の回避、個人の見目を良くするための皮膚軟化剤の適切な使用（例えば、化粧品、角質落とし及び角質剥がし）等が挙げられる。これらの行為は、個人の見目を良くし、皮膚の衰えを改善し、及び／又は、皮膚の状態を緩和することによって、皮膚の完全性を支援する。スキンケア処置計画を遂行することは、多くの個人にとって日々行う習慣的な行いである。
【０００５】
多くの場合、スキンケア処置計画は、個人が特定のスキンケア製品を適用すること及び／又は特定の手順を行うことが必要となるが、その個人の皮膚が乾燥又は湿潤すぎていたり、特定の傷害又は症状（例えば、皮膚炎）を予防／処置する必要があったりする。スキンケア処置計画はまた、医療処置計画の構成要素でもあり得る。例えば、スキンケアは、創傷治癒、新生児、ストーマ、放射線治療の改善において、いくつかの薬品を用いた構成要素であり得る。
【０００６】
多くのスキンケア処置計画は、個人が（清潔化又は美化することを意図した）パーソナルケア製品及び／又は（疾患を診断、治癒、緩和、治療若しくは予防すること、又は、身体の構造又は機能に影響を及ぼすことを意図した）薬品を適用することを必要とする。パーソナルケア製品の例には、化粧品（例えば、化粧品、香水及び口紅）が含まれる。薬品の例には、日焼け止め及びアクネクリームが含まれる。保湿日焼け止め及び抗ふけシャンプーのような他の製品は、多くは両方のカテゴリーの例であると考えられている。
【図面の簡単な説明】
【０００７】
種々の目的、特徴、及び特性は、添付の特許請求の範囲及び図面と併せて以下の発明を実施するための形態を検討することにより、当業者にとってより明らかになる。また、これらの発明を実施するための形態、特許請求の範囲及び図面の全ては、本明細書の一部を形成する。添付の図面は様々な実施形態の例示を含むが、これらの図面は特許請求される主題を限定することを意図されない。
【０００８】
【図１】図１は、電子ディスプレイを含むネットワーク接続（すなわち、「スマート」）キャップの正面図及び上面図を含んでいる。
【図２】図２は、少なくとも１つのオーディオセンサと少なくとも１つのオーディオスピーカとを含むスマートキャップの斜視図である。
【図３】図３は、スマート容器内に含まれ得る電子ディスプレイを示す。
【図４】図４は、いくつかの実施形態に従うスマート容器の部分断面図を含んでいる。
【図５】図５は、スマート容器がどのようにしてスキンケア製品に関するより大きなエコシステムの一部となり得るかを示す一般化されたフロー図である。
【図６】図６は、ユーザが処置計画に従ってスキンケア製品を適用しているかどうかを監視するためのシステムのコンポーネントについての高レベルシステム図を含んでいる。
【図７】図７は、データがどのようにして、１つ以上のソースからスマート容器へと、直接的に又は該スマート容器と対になった（すなわち、スマート容器と通信可能に結合された）コンピューティングデバイス（例えば、携帯電話、タブレットコンピュータ又はラップトップコンピュータ）を介して流れることができるかを示す一般化されたフロー図である。
【図８】図８は、ネットワーク接続（すなわち「スマート」）容器内に収容されたスキンケア製品を適用するユーザの遵守を監視するためのプロセスを示す。
【図９】図９は、本明細書に記載の少なくともいくつかの動作が実施され得る処理システムの一例を示すブロック図である。
【０００９】
図面は、発明を実施するための形態の全体を通して、説明の目的のみのために記載された様々な実施形態を示す。特定の実施形態は例として図面に示し、以下で詳細に説明するが、本技術は様々な修正形態及び代替形態に修正することができる。このことは、記載された特定の実施形態に本技術を限定することを意図しない。したがって、特許請求の範囲に記載の主題は、添付の特許請求の範囲によって規定される本技術の範囲内に含まれる全ての修正、均等物及び代替物に及ぶことが意図される。
【発明を実施するための形態】
【００１０】
本明細書では、パーソナライズされた情報を提示可能な電子ディスプレイを含むネットワーク接続（すなわち、「スマート」）容器に関する種々の実施形態について説明する。例えば、電子ディスプレイ（並びに、メモリ、プロセッサ及び通信モジュールのような他の必須コンポーネント）は、キャップ又は容器の本体に組み込まれ得る。多くの場合において、容器は、スキンケア処置計画の一部として使用者により適用されるスキンケア製品（例えば、化粧品などの薬剤又はパーソナルケア製品）を保持する。スキンケア処置計画は、例えば、どのスキンケア製品を適用するか、適用されるスキンケア製品の数又は量、スキンケア製品を適用する時間等を特定し得る。
【００１１】
個人がスキンケア処置計画を習慣的に遂行し得ることには、多くの理由がある。例えば、個人は、自分の見目を良くするために化粧品を適用することもあり、自分の創傷治癒力を高めるために薬品を適用することもある。しかしながら、多くの場合において、スキンケア処置計画はその個人に合わせる又はパーソナライズすることによって改善され得る。
【００１２】
本明細書に記載のスマート容器は、関連情報を提示する電子ディスプレイを含み得る。該関連情報としては、スキンケア製品の名称、スキンケア処置計画を遵守するためのテキスト指示、スキンケア製品の適用方法を示すアニメーション、ユーザ情報、メッセージ（例えば、クラウドサービスを介して伝達されるテキストメッセージ）、通知及びデバイス情報（例えば、バッテリ状態及びネットワーク接続状態）等が挙げられる。スマート容器はまた、個人がスキンケア製品を適用するかどうか及び／又はどれだけのスキンケア製品を適用すべきかに影響を及ぼす可能性のある周囲環境に関する、過去、現在又は未来の情報についても表示し得る。例えば、スマート容器の電子ディスプレイは、現在の湿度、その日に予想される高温及び／若しくは低温、又は、現在の紫外線（ＵＶ）照射量を提示し得る。
【００１３】
いくつかの実施形態では、個人に対してパーソナライズされた推奨事項を生成して（例えば、電子ディスプレイを介して）提示するために、関連情報が使用される。例えば、スマート容器は、温度又は紫外線が特定の閾値を超えると予想される場合、特定のスキンケア製品（例えば、通常の保湿剤ではなく保湿日焼け止め剤）を適用することを推奨してもよい。
【００１４】
スマート容器はまた、個人がスキンケア処置計画に関して他のエンティティと通信することを可能にする特徴（例えば、触覚ユーザ入力、スピーカ及びマイク）を含んでいてもよい。この他のエンティティは、例えば、美容専門家（例えば、美容師）又は医療専門家（例えば、皮膚科医）であってもよい。加えて又はこれに代えて、スマート容器は、ネットワークアクセス可能なインタフェースにアクセスできる別のコンピューティングデバイス（例えば、携帯電話、タブレットコンピュータ又はラップトップコンピュータ）に通信可能に結合されていてもよい。このネットワークアクセス可能なインタフェースは、種々のスキンケア製品、スキンケア習慣等に関する情報を含んでいてもよい。このネットワークアクセス可能なインタフェースは、スマート容器の製造業者、美容エンティティ（例えば、美容師又は化粧品会社）、医療エンティティ（例えば、医師、皮膚科医又は薬局）などであってもよい。
【００１５】
ネットワークアクセス可能なインタフェースは、好ましくは、ウェブブラウザ、ソフトウェアプログラム、モバイルアプリケーション及び／又はオーバーザトップ（ＯＴＴ）アプリケーションを通じてアクセス可能である。したがって、本明細書にて提示される技術は、個人がネットワークアクセス可能なインタフェースにアクセスしてスマートコンテナとインタフェース接続可能な、任意のコンピューティングデバイスと共に使用され得る。そのようなコンピューティングデバイスには、パーソナルコンピュータ、タブレットコンピュータ、パーソナルデジタルアシスタント（ＰＤＡ）、携帯電話、ゲーム機（例えば、Sony PlayStation（登録商標）やMicrosoft Xbox（登録商標））、音楽プレーヤ（例えば、Apple iPod Touch（登録商標））、ウェアラブル電子デバイス（例えば、時計やフィットネスバンド）、ネットワーク接続デバイス（例えば、テレビ）仮想／拡張現実システム（例えば、Oculus Rift（登録商標）やMicrosoft Hololens（登録商標））又は他の電子デバイスが含まれる。
【００１６】
用語
本出願の全体にわたって使用される用語、略語及び表現の簡潔な定義について、以下に提示する。
【００１７】
本明細書における「一実施形態」又は「実施形態」への参照は、その実施形態に関連して記載された特定の機能、構造又は特性が、本開示の少なくとも１つの実施形態に含まれることを意味する。本明細書の種々の箇所において「一実施形態では」という句が現れた場合、必ずしも全てが同じ実施形態について参照しているわけではなく、必ずしも全てが他の実施形態と相互排他的な別個の又は代替の実施形態について参照しているわけでもない。さらに、記載される種々の機能は、いくつかの実施形態によって示されていてもよいが、他の実施形態によっては示されていなくてもよい。同様に、記載される種々の要件は、いくつかの実施形態の要件であってもよいが、他の実施形態の要件でなくてもよい。
【００１８】
文脈が明確に他を求めない限り、明細書及び特許請求の範囲を通じて、単語「含む」、「含んでいる」又はそれに類する単語は、排他的又は網羅的な意味ではなく、包括的な意味（換言すれば、「含むが、これに限定されない」という意味）で解釈されるものとする。本明細書で使用される場合、用語「接続」、「結合」又はその任意の変形は、２つ以上の要素間における、直接的又は間接的な任意の接続又は結合を意味する。要素間の結合又は接続は、物理的、論理的又はそれらの組み合わせであり得る。例えば、２つのデバイスは、互いに直接的に結合されてもよく、１つ以上の中間チャンネル又はデバイスを介して結合されてもよい。複数のデバイスはまた、互いに物理的な接続を共有せずに、デバイス間で情報を受け渡し可能となるように結合されてもよい。
【００１９】
さらに、本明細書で使用される場合、単語「本明細書」、「上記」、「下記」及び類似の意味の単語は、本出願全体を参照するものとし、本出願の特定部分には参照しないものとする。文脈が許容する限り、詳細な説明中における単数又は複数の数字を使用する単語は、それぞれ複数又は単数を含んでいてもよい。２つ以上の項目の列挙に関連する単語「又は」は、該単語について以下の解釈の全てを網羅する：列挙内の項目のいずれか、列挙内の項目の全て及び列挙内の項目の任意の組み合わせ。本明細書において、構成要素又は機能を「含んでもよい」、「含むことができる」、「含み得る」若しくは「含むことが可能であり得る」、又は、構成要素又は構成要素がある特性を「有していてよい」、「有することができる」、「有し得る」若しくは「有することが可能であり得る」と記載されている場合、その特定の構成要素又は機能は含まれている必要はなく、又は、その特性を有している必要はない。
【００２０】
用語「モジュール」は、ソフトウェア、ハードウェア及び／又はファームウェアコンポーネントを広く参照する。モジュールは、典型的には、規定された（１つ以上の）入力を使用して有用なデータ又は他の出力を生成することが可能な機能コンポーネントである。モジュールは自己完結型であってもよく、なくてもよい。ソフトウェアプログラム又はアプリケーションは、１つ以上のモジュールを含んでいてもよい。
【００２１】
詳細な説明において使用される用語は、特定の例と併せて使用されていたとしても、その用語の最も広く合理的な方法により解釈されることが意図されている。本明細書において使用される用語は、概して、本開示の文脈の範囲内で、かつ各用語が使用される具体的な文脈において、当技術分野における通常の意味を有する。便宜上、例えば、大文字、イタリック体及び／又は引用符を使用して、特定の用語を強調表示することがある。強調表示の使用は、用語の範囲及び意味には影響を与えない。同じ文脈では、用語が強調表示されているか否かにかかわらず、用語の範囲及び意味は同じである。同じ要素が複数の方法で記述され得ることは理解されよう。
【００２２】
したがって、代替の言い回し及び同義語については、本明細書にて論じる用語のいくつかに使用することができる。特定の用語について同義語が提供されていてもよいが、本明細書において用語を詳述する又は論じるか否かについては、特別な意義はない。１つ以上の同義語の参照は、他の同義語の使用を排除するものではない。本明細書の任意の箇所における例（本明細書にて論じる任意の用語の例を含む）の使用は、単なる例示であり、本開示又は例示の用語の範囲及び意味をさらに限定することを何ら意図するものではない。同様に、本開示は、本明細書にて与えられた種々の実施形態には限定されない。
【００２３】
システムトポロジーの概要
図１は、電子ディスプレイ１０２を含むネットワーク接続（すなわち、「スマート」）キャップ１００の正面図及び上面図を含んでいる。ここでは、スマートキャップ１００は、保湿クリームを保持する容器のためのものである。しかしながら、容器は、種々のタイプのスキンケア製品（例えば、別のパーソナルケア製品又は薬品）を保持し得る。実際に、いくつかの実施形態では、容器は複数のスキンケア製品を含んでいてもよい。
【００２４】
図１は、スマートキャップ１００について図示しているが、当業者であれば、電子ディスプレイ１０２及び／又は他の必須コンポーネント（例えば、メモリ、１つ以上のプロセッサ及び通信モジュール）は、キャップ内又は容器の本体内に収容されていてもよく、キャップと容器の本体との間に分かれて配置されていてもよいことを認識するであろう。
【００２５】
通常、電子ディスプレイ１０２は、消費電力が最小の持続性（すなわち、常時オン）ディスプレイを備えたメモリディスプレイであり、例えば、Ｅ Ｉｎｋ等である。しかしながら、電子ディスプレイ１０２は、液晶ディスプレイ（ＬＣＤ）、発光ダイオード（ＬＥＤ）ディスプレイ、有機発光ダイオード（ＯＬＥＤ）ディスプレイ等であってもよい。いくつかの実施形態では、電子ディスプレイ１０２は、タッチ感知式であり、タッチ機能が設けられている。タッチ機能は、ユーザがメッセージを入力し、キャップ１００により提示された質問に回答すること等が可能になり得る。例えば、電子ディスプレイ１０２は、電子ディスプレイ上に提示されるデジタルボタン（例えば、「はい」ボタン又は「いいえ」ボタン）を選択することによって回答可能な質問を提示してもよい。この質問は、電子ディスプレイ１０２上に視覚的に提示されてもよく、かつ／又は、１つ以上のスピーカから聴覚的に発せられてもよい。
【００２６】
電子ディスプレイ１０２は、好ましくは、対話型デジタルラベルとして供される。例えば、電子ディスプレイ１０２は、ユーザがスキンケア計画に関する推奨を提供するように構成されたクラウドベースサービス、美容専門家（例えば、ビューティーアドバイザー、美容師）、化粧品会社、医療専門家（例えば、皮膚科専門医、看護師、薬剤師）、医療法人（例えば、病院、薬局）等と容易に情報交換することを可能にし得る。ユーザが送付するためにアップロードした情報は、例えば、ユーザが経験した副作用の説明、ユーザが所有した若しくは使用した他のスキンケア製品、美容専門化又は医療専門家により事前に提示された質問に対する回答等を含んでいてもよい。
【００２７】
電子ディスプレイ１０２は、自動化されたコンテンツの交換を容易にするように構成され得る、かつ／又は、ユーザがネットワーク越しに他者と簡便に通信できるように構成され得る。例えば、電子ディスプレイ１０２は、汚れ具合、湿度、ＵＶ指数、ユーザの肌の特性、ユーザの位置、ユーザが容易に入手可能な他のスキンケア製品に基づき、スキンケアの推奨事項を提示してもよい。以下に示すような他の情報もまた、電子ディスプレイ１０２に表示され得る。
・スキンケア製品の適用／投与の仕方に関する指示。
・スキンケア製品についての関連情報。例えば、特殊な特性（例えば、スキンケア製品が高いＵＶ保護用、敏感肌用等として意図されたものであるかどうか）や副作用の可能性。
・ユーザの個人情報（例えば、ユーザのプロフィールからの個人情報）。
・スマート容器へとプッシュ配信されたメッセージ（例えば、クラウドベースのサービスから直接プッシュ配信されたメッセージ、又は、クラウドベースのサービスからユーザのコンピューティングデバイス上にて実行しているモバイルアプリケーションを介してプッシュ配信されたメッセージ）。
・容器に残っている内容物に関する情報。
・デバイス情報（例えば、バッテリの状態及びネットワーク接続の状態）。
【００２８】
ここでは、電子ディスプレイ１０２は、スマートキャップ１００の頂部に配置される。しかしながら、当業者であれば、電子ディスプレイ１０２は、代わりにキャップの異なる部分上に（例えば、キャップの縁に沿って）、又は、容器の本体上に配置され得ることを認識するであろう。いくつかの実施形態では、容器は、同じ又は異なるタイプの情報を提示する複数の電子ディスプレイを含んでいてもよい。
【００２９】
スマートキャップ１００はまた、スキンケア製品を投与することについての視覚的リマインダを提供可能な１つ以上の光ソースも含み得る。いくつかの実施形態では、光ソースは、情報をユーザへと視覚的に伝達するマルチカラーＬＥＤである。例えば、光ソースは、ユーザがスキンケア製品を適用する予定の時には赤、スキンケア製品が適用された時には緑、及び、スマートキャップ１００がネットワーク接続を確立している又は情報を受信／送信している時には青のパルスを発してもよい。通常、光ソースは、スマートキャップ１００の対向する両側面に結合されており、それによって複数の側面から視認可能になっている。しかしながら、いくつかの実施形態では、光ソースは、スマートキャップ１００及び／又は容器本体における複数の側面のサブセット上においてのみ視認可能であってもよい。
【００３０】
スマートキャップ１００はまた、周囲条件（例えば、温度、湿度、周囲光又は「利用可能な」光、ＵＶ光）を追跡するように構成された複数の周囲センサも含み得る。例えば、（１つ以上の）周囲センサは、ユーザのローカル環境との相互作用を捕捉するように構成されたカメラ、周囲光レベルを追跡するように構成された光センサ、ローカル湿度を監視するように構成された湿度センサ、ローカル温度を監視するように構成された温度計等を含んでいてもよい。これらの環境要因（及び他の環境要因）は、どのスキンケア製品がスマートキャップ１００によって推奨されるかに影響を及ぼし得る。例えば、湿度及び／又はＵＶ光が変化すると、スマートキャップ１００が、通常の保湿剤又は高いＵＶ保護を有する保湿日焼け止めのどちらを適用することを推奨するかどうかに影響を及ぼし得る。各周囲センサは、ローカル環境、容器内部（すなわち、スキンケア製品が収納されている場所）又は両方の値を測定するように構成されていてもよい。
【００３１】
電源接続部はまた、スマートキャップ１００に結合されていてもよく、スマートキャップ１００内に構成されていてもよい。例えば、スマートキャップ１００は、電力を供給可能な標準ユニバーサルシリアルバス（ＵＳＢ）ポートを含み得る。代わりに又はこれに加えて、ｍｉｃｒｏＵＳＢ、Ｌｉｇｈｔｎｉｎｇ、ＳＡＴＡケーブル、独自の専用コネクタ等をサポートする他のポートが使用されてもよい。スマートキャップ１００はまた、１つ以上の電池（例えば、単三電池、単四電池、リチウムボタン電池）が収納される電池区画も含み得る。さらに、スマートキャップ１００は、容器のキャップ又は本体の複数の側面及び／又は底面に沿って、充電用の充電スタンド内にスマートキャップ１００を配置可能な（１つ以上の）電源接続部を含んでいてもよい。いくつかの実施形態では、スマートキャップ１００は、誘導充電を用いて充電される。より詳細には、スマートキャップ１００は、送電パッドの上にキャップ又は容器全体を配置することにより、共振誘導結合によって充電されてもよい。電力を低電力誘導伝送するように構成されたこのようなスマートキャップ１００は、典型的には、外部電源接続部３０６を有していない。しかしながら、いくつかの例では、スマートキャップ１００が複数の方法（例えば、ＵＳＢポートを介して、及び、Ｑｉ標準に準拠したワイヤレス充電を介して）にて充電可能であることが好ましいこともある。
【００３２】
図２は、少なくとも１つのオーディオセンサ２０２と少なくとも１つのオーディオスピーカ２０４とを含むスマートキャップ２００の斜視図である。オーディオスピーカ２０４は、トーン、音声プロンプト、カスタム音又はそれらのいくつかの組み合わせを生成するように構成される。例えば、これらの音は、現在又は今後の環境条件に基づいて、特定のスキンケア製品（例えば、日焼け止め）が付与されるべきであるという可聴リマインダを提供してもよい。一方で、オーディオセンサ２０２（例えば、マイク）は、スマートキャップ２００によって又はその近くで生じた音を記録することができる。それによって、ユーザは、容器内に保持されたスキンケア製品の適用前、適用中又は適用後に、美容専門家又は医療専門家と音を用いた通信をすることが可能であってもよい。併せて、オーディオセンサ２０２及びオーディオスピーカ２０４は、リアルタイム（又はほぼリアルタイム）の双方向音声通信を可能にするために使用され得る。そのような通信は、電子ディスプレイ上に提示された情報又はアニメーションに対応していてもよい。
【００３３】
スマートキャップ２００の種々の実施形態では、リアルタイムで修正可能なパーソナライされたスキンケア推奨事項を提示することが可能になる。例えば、スマートキャップ２００は、ローカル環境の現在又は予想される汚染、湿度又はＵＶレベルに基づいて、特定のスキンケア製品を推奨してもよい。これにより、スマートキャップ２００は、ユーザがどのスキンケア製品がこれらの状況下で最も適切であるかに関する知識へと即時にアクセスすることを提供し得る。
【００３４】
全ての必須コンポーネント（例えば、プロセッサ、メモリ、電子ディスプレイ、通信モジュール）は、キャップ内のみに収容することが可能である。そのような実施形態では、キャップは、複数の容器に適合できるのであれば、再使用可能であってもよい。さらに、スマートキャップ２００は、異なる容器の本体と容易に「組み合わせ相手となって（mate）」本体内に収容されたメモリから所定の情報を取得することを可能にする技術（例えば、ＲＦＩＤセンサ）を含んでいてもよい。例えば、スマートキャップが新たな容器の本体上に配置された際に、スマートキャップは、容器内に保持されているスキンケア製品のタイプ、そのスキンケア製品の特性等のような情報を、メモリ内から引き出してもよい。
【００３５】
ここで提示された技術は、「不可視の」技術として動作してもよい。すなわち、ユーザは、セットアッププロセス、インストールプロセス、メンテナンスプロセス等を遂行する必要なく、スマートキャップによって可能になる利益を利用可能であってもよい。例えば、スマートキャップ２００のいくつかの実施形態は、既存のユーザアカウント及びアプリケーションより引き出される情報から、パーソナライズされた推奨事項を生成し得る。そのような実施形態では、ここで提示される技術は、スマートキャップ２００及び／又はユーザに関連付けられたコンピューティングデバイスに通信可能に結合されたリモートサービスによって実行される強力なバックエンド動作により、容易にされ得る。
【００３６】
図３は、スマート容器内に含まれ得る電子ディスプレイ３００を示す。例えば、電子ディスプレイ３００は、キャップ又は容器の本体内に組み込まれ得る。電子ディスプレイ３００は、消費電力が最小の持続性（すなわち、常時オン）ディスプレイであってもよく、例えば、Ｅ Ｉｎｋ等であり得る。電子ディスプレイ３００はまた、リアルタイムで更新されるパーソナライズされた情報を提示可能であってもよい。例えば、スキンケア製品についての推奨事項は、規定の時間（例えば、ユーザが目を覚ました後又はユーザが眠る前）に提示され得る。加えて又はそれに代えて、スキンケア製品についての推奨事項は、推奨事項を提供するためのユーザ要求を示す入力（例えば、音声指令又は物理的な対話）を受信した際に提示され得る。別の例として、推奨事項は、今後のために、予想される天候、湿度、ＵＶ等に基づいて自動的に作成され得る。これらの推奨事項は、ユーザが適用又は発注すべき（１つ以上の）スキンケア製品を指定してもよい。
【００３７】
電子ディスプレイ３００は、化粧品情報及び／又は薬品情報、テキスト指示、アニメーション、ユーザ情報、メッセージ（例えば、クラウドサービスを介して伝達されるテキストメッセージ）、通知及びデバイス情報（例えば、バッテリ状態、ネットワーク接続状態）のような関連情報を提示するように構成されていてもよい。
【００３８】
スマート容器又はキャップはまた、ボタン、タッチ感知式電子ディスプレイ、音声認識技術を採用するマイク及びプロセッサ、ジェスチャ認識技術を採用するカメラ及びプロセッサ、動きセンサ等のような（１つ以上の）ユーザ入力コンポーネントを含んでいてもよい。また、（１つ以上の）入力は、スマート容器又はキャップと対になった（すなわち、スマート容器と通信可能に結合された）、携帯電話、タブレット又はラップトップのような別のコンピューティングデバイスを使用して提供され得る。
【００３９】
したがって、スマート容器又はキャップは、コンピューティングデバイス及び／又はリモートサーバと１つ以上のネットワーク越しに通信することを容易にする１つ以上の通信モジュールを含み得る。該１つ以上のネットワークとしては、インターネット、ローカルエリアネットワーク（ＬＡＮ）、ワイドエリアネットワーク（ＷＡＮ）、ポイントツーポイントダイヤルアップ接続、セルラーネットワーク等が挙げられる。例えば、スマートキャップは、ＷｉＦｉを介してリモートサーバと通信するための第１の通信モジュールと、短距離プロトコル（例えば、近距離通信（ＮＦＣ）、無線周波数識別（ＲＦＩＤ）、Ｂｌｕｅｔｏｏｔｈ）を介してコンピューティングデバイスと通信するための第２の通信モジュールとを含んでいてもよい。
【００４０】
図４は、いくつかの実施形態に係るスマート容器４００の部分断面図を含んでいる。スマート容器４００は、電子ディスプレイ４１０に加えて、動きセンサ４０２と、一対の導電素子４０４と、蓋センサ４０６と、通信モジュール４０８とを含み得る。また、これらのコンポーネントのいくつか又は全ては、スマート容器４００のキャップ内にも含まれ得る。
【００４１】
動きセンサ４０２は、スマート容器４００の動きを表す動きセンサデータを生成する。結果として、動きセンサデータは、傾きや揺れ等が生じた時を、ユーザがスマート容器４００と対話したと示し得る。動きセンサ４０２は、例えば、容器内にてスキンケア製品の位置が変わることにより生じる振動を識別することもできる。通常、動きセンサ４０２は、スマート容器４００が行う動きを認識可能な複数軸（例えば、４軸、６軸）センサである。動きセンサ４０２はまた、スマート容器が通信モジュール４０８を含む際には、無線通信経由（ＯＴＡ）のファームウェアアップデートを受信してインストールすることが可能であってもよい。
【００４２】
動きセンサデータは、スマート容器４００の物理的動き又は動作を判定するために分析され得る。例えば、動きセンサ４０２が経験した動きによって、電子ディスプレイ（例えば、図１の電子ディスプレイ１０２）が明るくなってもよい。他の例として、動きセンサ４０２は、動きセンサデータから加速度ベクトルを生成し得る。ここでの動きセンサデータは、該ベクトルに沿った動きセンサ４０２（及びスマート容器４００）の加速度を示す。続いて、この動作が、容器を開け、それによりスキンケア製品を適用することに関連する特有の動きに一致するかどうかを判定するために、この動作が分析され得る。いくつかの実施形態では、スマート容器４００から分配されたスキンケア製品の量を判定するために、動きセンサデータ及び／又は関連する（１つ以上の）動作がさらに分析され得る。例えば、ユーザがキャップを取り外してスマート容器４００を傾けた場合、比較的多くのスキンケア製品が分配されたか、スマート容器４００には僅かなスキンケア製品しか保持されていない可能性がある。
【００４３】
スマート容器４００の内容物は、互いに実質的に平行に配置されている少なくとも一対の導電素子４０４を使用して判定され得る。これらの導電素子４０４は、好ましくは、容器又は蓋のリムに又はリム付近に配置される。スキンケア製品が容器を出て導電素子４０４間を移動するにつれ、導電素子４０４間の領域の比誘電率が変化し、続く静電容量の変化が測定され得る。この静電容量の変化及び静電容量の測定値自体は、スキンケア製品が容器から分配されたかどうか、分配された場合にはどれだけのスキンケア製品が分配されたかを判定することに使用され得る。
【００４４】
容器４００の開口内には、一対以上の導電素子もまた配置され得る。そのような実施形態では、各導電素子４０４の対は、別々の静電容量測定値を生成するように構成される。併せて使用される際には、これらの測定値は、ノイズの影響を受け難いより正確な静電容量の変化の測定値を生成することができる。例えば、長方形状の開口を有するスマート容器４００は、側壁に沿って二対の導電板を有することができ、六角形状の開口を有する容器は、三対の導電板を有することができる。スマート容器４００の上部（例えば、蓋の底）及び底部に沿って、スマート容器４００内に残存するスキンケア製品の量を測定するように構成されたもう一対の導電素子４０４が配置されてもよい。スキンケア製品の量が下方閾値よりも低くなったと判定された場合、電子ディスプレイ４１０は、追加のスキンケア製品を注文する、美容／医療専門家の予約を予定に入れる等のリマインダを提示してもよい。ユーザは、いくつかの異なる方法でリマインダに応答可能であってもよい。例えば、いくつかの実施形態では、リマインダは、新たな処方薬の注文をするためにユーザに対してスマート容器４００を振るよう促してもよく、他の実施形態では、リマインダは、ユーザに対して追加の（１つ以上の）スキンケア製品が必要かどうかを示す音声応答を発するように促してもよい。
【００４５】
センサデータは、スマート容器４００が開閉されたかどうかを判定するための蓋センサ４０６によっても生成され得る。蓋センサ４０６は、例えば、スマート容器４００の開口に向けられた光学センサ、蓋がスマート容器４００の本体に取付けられている際に圧力が及ぼされる圧力センサ（例えば、翼圧機構（wing pressure mechanism））等であってもよい。一方、通信モジュール４０８は、一つ以上の他のコンピューティングデバイスとの接続を確立するように構成されている。コンピューティングデバイスの例には、携帯電話、タブレットコンピュータ、ラップトップコンピュータ、ポータブルメディアデバイス、ウェアラブルデバイス、サーバ等が含まれる。
【００４６】
接続は、電子ディスプレイ４１０、オーディオセンサ、（１つ以上の）ユーザ入力、（１つ以上の）周囲センサ、動きセンサ４０２、導電素子４０４、蓋センサ４０６等により記録された情報（例えば、ユーザ入力、測定値）を、ネットワーク越しに電子的に送信することを可能にする。全般的に、通信モジュール４０８は、スマート容器４００と１つ以上の他のコンピューティングデバイスとの間に、無線通信リンクを確立する。例えば、スマート容器４００は、種々のプロトコルに従って通信する送受信器をサポートしていてもよい。そのようなプロトコルには、Ｂｌｕｅｔｏｏｔｈ、Ｂｌｕｅｔｏｏｔｈ  Ｌｏｗ  Ｅｎｅｒｇｙ（ＢＬＥ）、セルラー標準（例えば、ＬＴＥ、３Ｇ、４Ｇ）、近距離通信（ＮＦＣ）、無線ローカルエリアネットワーク（ＷＬＡＮ）標準（例えば、ＷｉＦｉ／ＩＥＥＥ  ８０２．１１規格トランスミッターを使用するもの）、及び／又は、他の無線技術が含まれる。加えて又はこれに代えて、スマート容器４００は、有線接続（例えば、ＵＳＢ、ｍｉｎｉＵＳＢ）を介してセンサデータを送信するように構成され得る。例えば、スマート容器４００は、センサデータを充電中に自動でアップロードしてもよい。
【００４７】
通信モジュール４０８は、電子モジュール区画内に収容され得る。該区画はまた、追加のモジュール及び／又はコンポーネント（例えば、プロセッサ、通信デバイス、集積電子機器、メモリ記憶デバイス、バッテリ、センサ）を収容していてもよい。例えば、いくつかの実施形態では、電子モジュール区画は、スマート容器４００の動き及び位置を検出するために使用可能なジェスチャ認識モジュールを含んでいる。電子モジュール区画は、スマート容器４００から取り外し可能であってもよい。したがって、ユーザは、本明細書に記載されたいくつかの異なるコンポーネント（例えば、電子モジュール区画、キャップ、さらには容器自体）を取り外して再使用することを選択してもよい。
【００４８】
当業者であれば、スマートデバイスの実施形態が、図１〜４に関して本明細書に記載されるいくつか又は全てのコンポーネントを含み得ることを認識するであろう。いくつかの実施形態は、電子ディスプレイのみを含んでいてもよく、他の例は、前述のコンポーネントのほとんど又は全てを含んでいてもよい。さらに、いくつかの実施形態は、本明細書には図示又は記載されていない、スマート容器がパーソナライズされた情報をリアルタイムで提供することを可能にする追加的なコンポーネントを含んでいてもよい。
【００４９】
図５は、スマート容器がどのようにしてスキンケア製品に関するより大きなエコシステムの一部となり得るかを示す一般化されたフロー図である。例えば、エコシステムには、以下が含まれる。
・スキンケア製品についての推奨事項を提供可能なユーザ又は他の個人（例えば、美容専門家及び医療専門家）によって操作される、携帯電話、タブレットコンピュータ及びラップトップコンピュータのようなコンピューティングデバイス。
・スキンケア製品及びスキンケア処置計画に関する情報を含むデータベース。
・スキンケア製品に関する追加情報を検索すること、スキンケア処置計画を修正すること、美容専門家又は医療従事者と通信すること、スキンケア製品を注文すること等をユーザに可能にし得る、ネットワークアクセス可能なインタフェース。
【００５０】
ネットワークアクセス可能なインタフェースは、好ましくは、ウェブブラウザ、ソフトウェアプログラム、モバイルアプリケーション及びオーバーザトップ（ＯＴＴ）アプリケーションの１つ以上を介してアクセス可能である。例えば、ユーザは、ユーザの携帯電話上にて実行されるモバイルアプリケーションを使用して、リモートサーバに接続可能であってもよい。さらに、モバイルアプリケーションは、ユーザが（１つ以上の）追加のスキンケア製品の注文（例えば、処方薬の更新による）、（１つ以上の）新たなスキンケア製品の注文、（１つ以上の）サンプルの注文等を即座に行えるようにしてもよい。
【００５１】
図６は、ユーザ６０４が処置計画に従ってスキンケア製品を適用しているかどうかを監視するためのシステム６００のコンポーネントについての高レベルシステム図を含んでいる。いくつかの実施形態では、スマート容器６０２は、別個のコンピューティングシステム６０８（例えば、サーバ）と、インターネット、ＬＡＮ、ＷＡＮ、ポイントツーポイントダイヤルアップ接続又はセルラーネットワークのようなネットワーク６０６ａ越しに通信可能に結合されている。スマート容器６０２及び／又は別個のコンピューティングシステム６０８は、本明細書で説明するタスクのいくつか又は全てを実行し得る。すなわち、システム６００は、スマート容器６０２と別個のコンピューティングシステム６０８との間で分散され得る。そのようなタスクの分散によって、システム６００が処置計画の遵守についてよりインテリジェントな方法で監視できるようになってもよい。例えば、所定の時間に厳しい処理タスクがスマート容器６０２によって実行されてもよく、一方で、他の処理タスクは、スマート容器６０２の限られた処理リソースを保存するため、別個のコンピューティングシステム６０８によって実行されてもよい。
【００５２】
いくつかの実施形態では、他の個人（例えば、ユーザの家族及び友人）、美容専門家、医療専門家等６１０ａ〜ｃによって制御される１つ以上のネットワークアクセス可能コンピューティングデバイス６１２ａ〜６１２ｃが、スマート容器６０２、別個のコンピューティングシステム６０８、又はその両方に通信可能に結合される。１つ以上のネットワーク６０６ａ〜ｂは、システム６００における種々のコンポーネントを通信可能に結合するために使用され得る。ネットワーク６０６ａは、ネットワーク６０６ｂと同じであってもよく、別個であってもよい。
【００５３】
このような構成は、他の個人（例えば、ユーザの家族及び友人）、美容専門家、医療専門家等６１０ａ〜ｃが、スキンケア製品の適用前、適用中又は適用後にユーザ６０４に対して推奨事項を提供することを可能にする。例えば、家族は、スマート容器６０２に関連付けられた識別子（例えば、電話番号又は電子メールアドレス）に対して、スキンケア製品を適用することについてのリマインダをスマート容器６０２に生成させるメッセージを送信してもよい。別の例として、家族は、ユーザがスマート容器６０２からスキンケア製品を分配された（したがって、スキンケア処置計画を遵守して製品を適用した）ことを特定するメッセージ（例えば、テキストメッセージ、電子メールメッセージ、又は、アプリケーションによるプッシュ通知）を受信してもよい。スマート容器６０２、別個のコンピューティングシステム６０８及びネットワークアクセス可能なデバイス６１２ａ〜６１２ｃは、互いに無線通信するように図示されているが、有線接続もまた可能であり、いくつかの実施形態では、有線接続が好ましいこともある。
【００５４】
図７は、データがどのようにして、１つ以上のソースからスマート容器へと、直接的に又は該スマート容器と対になった（すなわち、スマート容器と通信可能に結合された）コンピューティングデバイス（例えば、携帯電話、タブレットコンピュータ又はラップトップコンピュータ）を介して流れることができるかを示す一般化されたフロー図である。いくつかの実施形態では、データはスマート容器の通信モジュールに直接ディスパッチされ、他の実施形態では、データはコンピューティングデバイス上で実行されるモバイルアプリケーションにディスパッチされる（該モバイルアプリケーションは、データをスマート容器へと転送する）。
【００５５】
ソースには、例えば、スマート容器の製造者（「サポートサービス」とも称される）に関連付けられたクラウドベースのシステム、及び／又は、美容エンティティ（「美容サービス」とも称される）若しくは医療エンティティ（「医療サービス」とも称される）に関連付けられたクラウドベースのシステムが含まれ得る。他のソースもまたスマート容器とインタフェースしてもよく、そのようなソースには、気象サービス、全地球測位システム（ＧＰＳ）サービス等が含まれる。多くの場合、ソースは関連データ（スキンケア処置計画、スキンケア製品に関する情報、気象データなど）をスマート容器へと定期的にアップロードする。いくつかの実施形態では、所定の情報（例えば、天気）が、これらのサービスの１つ以上からスマート容器によって自動的に引き出されるように構成される。例えば、スマート容器は、既定のスケジュール（例えば、１日に１回、１時間に１回）に従って、更新された情報についての要求を提出してもよい。
【００５６】
しかしながら、図７に示すように、このことは関連データをスマート容器へと直接送信することによって、又は、スマート容器に通信可能に結合されたコンピューティングデバイスへと直接送信することによって行うことができる。多くの場合、コンピューティングデバイスは、関連するデータに容易にアクセスして見直すことを可能にするインタフェースを表示するように構成されることとなる。スマート容器は、コンピューティングデバイス及び／又はソースに、有線又は無線接続によって通信可能に結合され得る。例えば、スマート容器は、コンピューティングデバイスとＢｌｕｅｔｏｏｔｈを介して通信すると共に、関連データ（ネットワーク接続されたサーバ上でホストされていてもよい）の（１つ以上の）ソースとＷｉＦｉ接続を介して通信してもよい。
【００５７】
図８は、スマートホームシステム８００のネットワーク接続されたコンポーネントについての高レベルシステム図を含んでいる。スマートホームシステム８００は、スキンケア製品が、ユーザ８０４により処置計画を遵守して適用されているかどうかを監視するために使用されてもよい。
【００５８】
より詳細には、スマートホームシステム８００は、ネットワーク接続容器８０２と、１つ以上の他のネットワーク接続デバイス８０８ａ〜ｃとを含み得る。ネットワーク接続デバイス８０８ａ〜ｄには、例えば、電球、サーモスタット、キッチン器具（例えば、電子レンジ、冷蔵庫及びオーブン）、真空掃除機、健康器具（例えば、体重計及びフィットネストラッカー）、セキュリティーシステム、カメラ、スピーカ、ウェアラブルデバイス（例えば、時計）、コンピューティングハブ（例えば、Ａｍａｚｏｎ Ｅｃｈｏ（登録商標）、Ｇｏｏｇｌｅ Ｈｏｍｅ（登録商標））並びにその他のデバイス（例えば、携帯電話、テレビ、ゲーム機、コンピュータ）が含まれ得る。ネットワーク接続容器８０２は、他のネットワーク接続デバイス８０８ａ〜ｃのそれぞれと、インターネット、ＬＡＮ、ＷＡＮ、ポイントツーポイントダイヤルアップ接続又はセルラーネットワークのようなネットワーク８０６ａ〜ｃ越しに通信可能に結合されている。加えて又はこれに代えて、短距離無線通信チャンネルがこれらのデバイス間にＢｌｕｅｔｏｏｔｈ、近距離通信（ＮＦＣ）などを介して確立されていてもよい。
【００５９】
ネットワーク接続容器８０２及び他のネットワーク接続デバイス８０８ａ〜ｃは、本明細書中に記載されるタスクのいくつか又は全てを実行し得る。すなわち、コンポーネントは、ネットワーク接続容器８０２と他のネットワーク接続デバイス８０８ａ〜ｃとの間において、インテリジェントに分散され得る。
【００６０】
例えば、いくつかの実施形態では、電子ディスプレイ及び１つ以上のセンサ（例えば、光センサ、湿度センサ及び／又はマイク）が、ネットワーク接続容器８０２内に組み込まれる。これらのコンポーネントは、キャップ、容器の本体又はその両方に組み込まれ得る。
【００６１】
別の例として、ネットワーク接続容器８０２は、電子ディスプレイと、他のネットワーク接続デバイス８０８ａ〜ｃのいくつか又は全ての中に既に存在する１つ以上のセンサ（例えば、光センサ、湿度センサ、及び／又はマイク）とを利用してもよい。例えば、ネットワーク接続容器８０２は、ネットワーク接続容器８０２内に収容されたスキンケア製品を投与することについてテレビを見ている個人に通知する必要があると判定した際には、該テレビへと情報をプッシュしてもよい。同様に、ネットワーク接続容器８０２は、個人が台所にいるか、又は最近冷蔵庫と対話を行ったと判定した際には、冷蔵庫に対してスキンケア製品を投与することについての通知を発行するよう促してもよい。当業者であれば、上記に列挙されるネットワーク接続デバイスは、スキンケア処置計画（又は、ネットワーク接続瓶８０２が、ピル、粉末若しくは液体のような別の形態の医薬又は物質を含んでいる場合には、何らかの他のタイプにおける薬品処置計画）へのアドヒアランスを容易にするために、様々な方法で使用され得ることを認識するであろう。
【００６２】
さらに、電子ディスプレイ及び（１つ以上の）センサは、ネットワーク接続容器８０２及び他のネットワーク接続デバイス８０８ａ〜ｃの間においてインテリジェントに分散されていてもよい。例えば、ネットワーク接続容器８０２は、周囲環境の特性を感知するように構成されたセンサを含んでいてもよいが、その際に電子ディスプレイを含んでいなくてもよい。そのような実施形態では、ネットワーク接続容器８０２は、代わりに、他のネットワーク接続デバイス８０８ａ〜８０８ｃに依拠して、（例えば、テレビ上で視覚的に、ウェアラブルデバイスを通じて触覚的に、及び／又は、コンピューティングハブを通じて音声的に）ユーザ８０４に対して情報を提示し得る。
【００６３】
図９は、ネットワーク接続（すなわち、「スマート」）容器内に収容されたスキンケア製品を適用するユーザの遵守を監視するためのプロセス９００を示す。まず、スマート容器は、１つ以上の外部情報ソースとの接続を確立する（ステップ９０１）。例えば、（１つ以上の）外部ソースは、ネットワークアクセス可能なデータベース、サービス等の形態であってもよい。したがって、スマート容器は、どのようにして（１つ以上の）特定の外部ソースのアプリケーションプログラミングインターフェース（ＡＰＩ）とインタフェース接続するかを指定するプログラムコードを含んでいてもよい。例えば、スマート容器は、サポートサービス、美容サービス、医療サービス、気象サービス、ＧＰＳサービス等とインタフェース接続するための別々の命令セットを含んでいてもよい。
【００６４】
続いて、スマート容器は、（１つ以上の）外部ソースから関連情報を引き出し得る（ステップ９０２）。例えば、スマート容器は、スキンケア製品に関する詳細を美容サービスから受信してもよく、投薬処置計画に関する詳細を医療サービスから受信してもよく、今後の気象パターンに関する詳細を気象サービスから受信してもよい。
【００６５】
いくつかの実施形態では、スマート容器は、薬品処置計画の遵守を維持するために、スキンケア製品を適用することについての１つ以上の推奨事項を受信又は生成する。例えば、スマート容器は、今後の気象が乾燥すると予想されることを気象サービスが示した場合に、追加の保湿剤をユーザが適用すべきであると判定してもよい。別の例として、スマート容器は、ＵＶ照射が所定の閾値を超えると予想される場合には、通常の保湿剤ではなく保湿日焼け止め剤を適用することを推奨してもよい。したがって、スマート容器は、関連情報及び／又は（１つ以上の）推奨事項を電子ディスプレイ上に提示してもよい（ステップ９０３）。
【００６６】
次に、スマート容器は、スマート容器とのユーザ対話を、１つ以上のセンサを使用して監視し得る（ステップ９０４）。いくつかの実施形態では、スマート容器は、スマート容器の動きを検出する動きセンサを含んでおり、他の実施形態では、スマート容器は、ユーザの発話を検出するマイクを含んでいる。図１〜４は、スマート容器とのユーザ対話を検出するために使用可能なセンサについての他の例を図示している。（１つ以上の）センサは、スマート容器とのユーザ対話を示すデータを生成する（ステップ９０５）。そのようなデータは、運動センサデータ、生音声記録、電子ディスプレイとのユーザ対話を示す入力、圧力センサによって生成された、キャップが取り外されたかどうかを示す圧力センサデータ等の形態であってもよい。
【００６７】
次に、該データは、リモートサーバへとネットワーク越しに送信され得る（ステップ９０６）。リモートサーバは、スマート容器又は他のエンティティの製造業者によって管理されてもよい。データを分析した後に、リモートサーバは、医療処置計画の遵守について判定し得る（ステップ９０７）。換言すれば、医療処置計画の遵守は、スマート容器とのユーザ対話に基づいて決定され得る。より詳細には、リモートサーバは、データを解析して、データ内に取り込まれたイベントがスキンケア製品を適用したことに対応するかどうかを判定し得る。例えば、リモートサーバは、動きセンサデータを分析して、スマート容器のキャップが医療処置計画によって必要とされる適切な時間に取り外されたかどうかを判定してもよい。
【００６８】
いくつかの実施形態では、リモートサーバは、遵守していること又は遵守していないことについての通知をコンピューティングデバイスへと送信する（ステップ９０８）。コンピューティングデバイスは、ユーザ又は別の個人（例えば、家族のメンバー又は医療専門家）と関連付けられてもよい。例えば、リモートサーバは、ユーザに対して、スキンケア製品を適用するようにユーザに促す通知を送信してもよい。別の例として、リモートサーバは、医療専門家（例えば、皮膚科医又は看護師）に対して、ユーザが適切な時間にスキンケア製品を適用したことについて特定する通知を送信してもよい。
【００６９】
物理的可能性に反しない限り、上記のステップは、種々の順序及び組み合わせで実行され得ることが想定される。例えば、いくつかの実施形態では、スマート容器は、そうすることをユーザに促されない限り、（１つ以上の）外部ソースから関連情報を引き出さなくてもよい。追加のステップもまた、いくつかの実施形態に含まれていてもよい。例えば、スマート容器は、スキンケア製品の適用前、適用中又は適用後に、ユーザに質問を提起してもよい。そのような質問には、ユーザが以前にスキンケア製品を適用した後に副作用を経験したかどうか、ユーザが現在健康であるかどうか、追加のスキンケア製品が近い将来に必要かどうか等が含まれる。応答は、リモートサーバ又は他のコンピューティングデバイスに伝達され得る（例えば、処方薬を補充する要求が直接薬局に伝達されてもよい）。
【００７０】
当業者であれば、上述のステップは、スマート容器、リモートサーバ又は他の何らかのコンピューティングデバイスによって実行され得ることも認識するであろう。実際に、いくつかの実施形態では、タスクは、スマート容器、リモートサーバ及びユーザに関連付けられた携帯電話の間でインテリジェントに分散される。
【００７１】
処理システム
図１０は、本明細書に記載の少なくとも一部の動作を実装可能な処理システム１０００の一例を示すブロック図である。処理システムは、１つ以上の中央処理装置（「プロセッサ」）１００２と、メインメモリ１００６と、不揮発性メモリ１０１０と、ネットワークアダプタ１０１２（例えば、ネットワークインタフェース）と、ビデオディスプレイ１０１８と、入力／出力デバイス１０２０と、制御デバイス１０２２（例えば、キーボード及びポインティングデバイス）と、記憶媒体１０２６を含むドライブユニット１０２４と、バス１０１６に通信可能に接続された信号生成デバイス１０３０とを含む。バス１０１６は、適切なブリッジ、アダプタ、又はコントローラによって接続された任意の１つ又は複数の別個の物理バス、ポイント・ツー・ポイント接続又はそれらの両方を表す抽象概念として示されている。したがって、バス１０１６は、例えば、システムバス、周辺機器相互接続（ＰＣＩ）バス又はＰＣＩ−Ｅｘｐｒｅｓｓバス、ＨｙｐｅｒＴｒａｎｓｐｏｒｔ又は業界標準アーキテクチャ（ＩＳＡ）バス、小型計算機システムインタフェース（ＳＣＳＩ）バス、ユニバーサルシリアルバス（ＵＳＢ）、ＩＩＣ（Ｉ２Ｃ）バス又は電気電子技術者協会（ＩＥＥＥ）規格１３９４バス（「Ｆｉｒｅｗｉｒｅ」とも称される）を含み得る。
【００７２】
種々の実施形態において、処理システム１０００は、スタンドアロンデバイスとして動作するが、処理システム１０００は、他のマシンに（例えば、有線又は無線で）接続されていてもよい。例えば、いくつかの実施形態では、処理システム１０００のコンポーネントは、スキンケア製品又はスキンケア処置計画を有するインタフェースにアクセスするためにユーザによって使用されるコンピューティングデバイス内に収容されており、他の実施形態では、処理システム１０００のコンポーネントは、１つ以上のスキンケア製品を保持するネットワーク接続容器内に収容されている。ネットワーク配置では、処理システム１０００は、クライアント−サーバネットワーク環境におけるサーバ若しくはクライアントマシンとして、又は、ピアツーピア（若しくは分散型）ネットワーク環境におけるピアマシンとして動作してもよい。
【００７３】
処理システム１０００は、サーバ、パーソナルコンピュータ（ＰＣ）、タブレットコンピュータ、ラップトップコンピュータ、パーソナルデジタルアシスタント（ＰＤＡ）、携帯電話、プロセッサ、電話、ウェブアプライアンス、ネットワークルータ、スイッチ若しくはブリッジ、コンソール、ハンドヘルドコンソール、（ハンドヘルド）ゲームデバイス、音楽プレーヤ、任意のポータブル、モバイル、ハンドヘルドデバイス、又は、処理システムによって行われるアクションを指定する命令セットを（逐次に又は他の方法で）実行可能な任意の機械であってもよい。
【００７４】
メインメモリ１００６、不揮発性メモリ１０１０及び記憶媒体１０２６（「機械可読媒体」とも称される）は、単一の媒体として示されているが、用語「機械可読媒体」及び「記憶媒体」は、１つ以上の命令セット１０２８を記憶する単一の媒体又は複数の媒体（例えば、集中型又は分散型データベース、及び／又は、関連するキャッシュ及びサーバ）を含むと解されるべきである。用語「機械可読媒体」及び「記憶媒体」は、処理システムによって実行するための命令セットを記憶、符号化又は搬送することが可能な、本明細書にて開示される実施形態のうち任意の１つ以上の方法を処理システムに実行させる任意の媒体を含むと解されるべきである。
【００７５】
通常、本開示の実施形態を実装するために実行されるルーチンは、オペレーティングシステムの一部として、又は、「コンピュータプログラム」と称される特定のアプリケーション、コンポーネント、プログラム、オブジェクト、モジュール若しくは命令シーケンスとして実装されてもよい。コンピュータプログラムは、典型的には、コンピュータにおける種々のメモリ及び記憶デバイス内に種々の時点でセットされる１つ以上の命令（例えば、命令１００４，１００８，１０２８）を備えており、１つ以上の処理ユニット又はプロセッサ１００２により読み取られて実行された時に、本開示の種々の態様を伴う要素を実行する動作を処理システム１０００に実行させる。
【００７６】
さらに、実施形態は、完全に機能するコンピュータ及びコンピュータシステムの文脈にて説明されているが、当業者であれば、種々の実施形態が種々の形態のプログラム製品として配布可能であり、実際に配布を行うために使用されるマシン又はコンピュータ可読媒体の特定のタイプにかかわらず、本開示が等しく適用されることを理解するであろう。
【００７７】
機械可読記憶媒体、機械可読媒体又はコンピュータ可読（記憶）媒体のさらなる例としては、以下に限定されないが、揮発性及び不揮発性メモリデバイス１０１０、フロッピー（登録商標）及び他のリムーバブルディスク、ハードディスクドライブ、光学ディスク（例えば、コンパクトディスク読み出し専用メモリ（ＣＤ−ＲＯＭ）、デジタル多用途ディスク（ＤＶＤ））のような記録可能タイプの媒体、並びに、デジタル及びアナログ通信リンクのような伝送タイプの媒体が含まれる。
【００７８】
ネットワークアダプタ１０１２は、処理システム１０００が、処理システム１０００及び外部エンティティによってサポートされる任意の既知の及び／又は便宜的な通信プロトコルを介して、ネットワーク１０１４内のデータをコンピューティングデバイス１０００外部のエンティティに仲介することを可能にする。ネットワークアダプタ１０１２は、ネットワークアダプタカード、無線ネットワークインタフェースカード、ルータ、アクセスポイント、無線ルータ、スイッチ、マルチレイヤスイッチ、プロトコルコンバータ、ゲートウェイ、ブリッジ、ブリッジルータ、ハブ、デジタルメディア受信器及び／又はリピータのうちの１つ以上を含むことができる。
【００７９】
ネットワークアダプタ１０１２は、ファイアウォールを含むことができる。該ファイアウォールは、いくつかの実施形態では、コンピュータネットワーク内のデータにアクセス／プロキシする許可を統御及び／又は管理できると共に、異なるマシン及び／又はアプリケーション間の種々の信頼レベルを追跡することができる。ファイアウォールは、特定のマシンのセットとアプリケーションとの間、マシン同士の間、及び／又は、アプリケーション同士の間における既定のアクセス権限のセットを実施することによって、例えば、これらの種々のエンティティ間のトラフィック及びリソース共有のフローを統制することが可能なハードウェア及び／又はソフトウェアコンポーネントの任意の組み合わせを有する任意の数のモジュールであり得る。加えて、ファイアウォールは、アクセス制御リストを管理及び／又はアクセス制御リストにアクセスしてもよい。該アクセス制御リストは、例えば、個人、マシン及び／又はアプリケーションによるオブジェクトのアクセス権限及び操作権限を含む許可、並びに、許可権限が有効な状況を詳細に示す。
【００８０】
上述のように、本明細書にて提示したコンピュータ実装システムは、ハードウェア（例えば、マイクロプロセッサのようなプログラマブル回路）、ソフトウェア、ファームウェア又はそのよう形態の組み合わせによって実装され得る。例えば、いくつかのコンピュータ実装システムは、全て専用のハードウェア組み込み（すなわち、非プログラマブル）回路内に具現化されてもよい。専用回路は、例えば、１つ以上の特定用途向け集積回路（ＡＳＩＣ）、プログラマブルロジックデバイス（ＰＬＤ）、フィールドプログラマブルゲートアレイ（ＦＰＧＡ）等の形態であり得る。
【００８１】
備考
特許請求された主題における種々の実施形態についての前述の説明は、例示及び説明のために提供されたものである。該説明は、網羅的であることや、特許請求された主題を開示された正確な形態に限定することを意図したものではない。多くの改変及び変形は、当業者には明らかであろう。実施形態は、本発明の原理及びその実際の応用を最も良く説明するために選択及び記載されており、そのため、関連技術の当業者は、特許請求された主題、種々の実施形態及び考慮される特定の用途に適した種々の修正を、これらの実施形態から理解することができる。
【００８２】
実施形態は、完全に機能するコンピュータ及びコンピュータシステムの文脈にて記載されているが、当業者であれば、種々の実施形態が種々の形態のプログラム製品として配布可能であり、実際に配布を行うために使用される機械又はコンピュータ可読媒体の特定のタイプにかかわらず、本開示は等しく適用されることが理解されよう。
【００８３】
上記の詳細な説明では、特定の実施形態及び考慮される最良の形態について説明しているが、上記にてどの程度まで文章中に詳細に開示されているかにかかわらず、それらの実施形態は多くの方法にて実施され得る。システム及び方法の詳細は、それらの実装の詳細において相当に変化することがあるが、それらは依然として本明細書に包含される。上述したように、種々の実施形態における特定の機能又は態様を説明する際に使用される特定の用語は、本明細書において、関連する本発明の特定の特徴、機能、又は態様に限定されるようにその用語が再定義されることを暗に意味するものとして理解されるべきではない。全体として、以下の特許請求の範囲にて使用される用語は、本明細書で明示的に定義されていない限り、本発明を本明細書に開示される特定の実施形態にまで限定するように解釈されるべきではない。したがって、本発明の実際の範囲は、開示の実施形態だけでなく、特許請求の範囲に基づく実施形態を実施又は実装する全ての均等な方法を包含する。
【００８４】
本明細書で使用される言語は、主に可読性及び教示目的のために選択されたものであって、本発明の主題を線引き又は制限するために選択されていないことがある。したがって、本発明の範囲は、この詳細な説明によってではなく、本明細書に基づく出願において発行される任意の請求項によって限定されることが意図される。したがって、種々の実施形態の開示は、以下の特許請求の範囲に記載される実施形態の範囲を例示するものであって、それらを限定するものではないことが意図される。
【図１】
2019518483.tif 000003
【図２】
2019518483.tif 000004
【図３】
2019518483.tif 000005
【図４】
2019518483.tif 000006
【図５】
2019518483.tif 000007
【図６】
2019518483.tif 000008
【図７】
2019518483.tif 000009
【図８】
2019518483.tif 000010
【図９】
2019518483.tif 000011
【国際調査報告】
2019518483.tif 000012